(57)【要約】【課題】組み立て作業を簡素化することができる後端ノック式のシャープペンシルを提供すること。【解決手段】ノック部のノック操作により軸筒内を摺動するノック筒２２には、その外周面の軸方向に沿って複数の凸状部材３０が周方向に等間隔に突出形成されている。前記ノック筒２２が収容される軸筒１Ｂの内周面には、軸方向に沿って平行状態に突出形成された第１と第２のリブ３５ａ３５ｂ、および前記一対のリブの後端側において両者を連結するようにして突出形成された連結リブ３５ｃとによりＵ字状に形成され、かつ前記第１と第２のリブの前端側の長さがそれぞれ異なるように形成されてなる係止突起３５が具備されている。前記ノック筒２２を軸筒１Ｂ内に押し込みつつ、ノック筒２２を一方向に回動させることで、ノック筒を軸筒内において摺動可能な状態に取り付けることができる。【選択図】図５
2010137443.tif 000002
【特許請求の範囲】
【請求項１】
軸筒の後端部に配置されたノック部をノック操作することで、芯タンクの前端部に設けられたチャックを前進させて筆記芯を前方に繰り出すことができるように構成されたシャープペンシルであって、
前記ノック部と一体もしくは別体に形成され、前記ノック部のノック操作により前記軸筒内を摺動すると共に、その外周面の軸方向に沿って少なくとも１つの凸状部材が突出形成されてなるノック筒と、
前記ノック筒が摺動する軸筒の内周面において、軸方向に沿って平行状態に突出形成された第１と第２のリブ、および前記一対のリブの後端側において両者を連結するようにして突出形成された連結リブとによりＵ字状に形成され、かつ前記第１と第２のリブの前端側の長さがそれぞれ異なるように形成されてなる係止突起が具備され、
前記ノック筒を後方に押し出す戻しバネの作用により、前記ノック筒における凸状部材が、前記軸筒内に突出形成された係止突起のＵ字状空間内を往復移動することで、前記ノック筒が前記軸筒に保持されていることを特徴とするシャープペンシル。
【請求項２】
前記軸筒が先軸と後軸により構成され、前記先軸内に前記チャックおよび芯タンクが装着され、前記後軸内に前記係止突起が具備されて前記ノック筒が装着されることを特徴とする請求項１に記載されたシャープペンシル。
【請求項３】
前記ノック筒と前記芯タンクとの間が分離されていることを特徴とする請求項１または請求項２に記載されたシャープペンシル。
【請求項４】
前記ノック筒の後端側に、前記軸筒の内周面に形成された係止突起の連結リブに軸方向で当接する大径部が形成され、前記大径部と前記凸状部材との間の距離をａとし、前記軸筒の内周面に形成された係止突起における第１と第２のリブの前端側の長さをそれぞれｂ，ｃとしたとき、ｂ＜ａ＜ｃの寸法関係になされていることを特徴とする請求項１ないし請求項３のいずれか１項に記載されたシャープペンシル。
【請求項５】
前記ノック筒の外周面には前記凸状部材が周方向に沿って等間隔をもって突出形成されると共に、前記軸筒内には、前記凸状部材と同数の前記係止突起が内周方向に沿って等間隔をもって独立して形成され、前記軸筒内に形成される係止突起の周方向の間隔が、前記ノック筒に形成された凸状部材の幅より大きく形成されていることを特徴とする請求項１ないし請求項４のいずれか１項に記載されたシャープペンシル。
【請求項６】
前記ノック筒の外周面に形成された前記凸状部材が、ノック筒の前端部よりも軸方向に突出して形成され、前記凸状部材の軸方向前方への突出部が、前記ノック筒の前端部に当接するコイル状に形成された前記戻しバネの外径部を受けるように構成されていることを特徴とする請求項５に記載されたシャープペンシル。
【請求項７】
前記チャックが前記筆記芯を把持した状態で前記芯タンクを軸芯にして回転可能となるように前記軸筒内に保持されると共に、前記筆記芯の筆記圧による前記チャックを介した回転子の後退および前進動作により当該回転子を回転駆動させる回転駆動機構が具備され、前記回転子の回転運動を前記チャックを介して前記筆記芯に伝達するように構成されていることを特徴とする請求項１ないし請求項６のいずれか１項に記載されたシャープペンシル。
【発明の詳細な説明】
【技術分野】
【０００１】
この発明は、組み立て作業を簡素化することができる後端ノック式のシャープペンシルに関する。
【背景技術】
【０００２】
後端ノック式のシャープペンシルは周知のとおり、後端部に配置されたノック部、例えばノックカバーをノック操作することで、これを軸筒内の芯タンクが受け、当該芯タンクを介して軸筒の前方内に配置された筆記芯を保持するチャックを押し出すように構成されている。
【０００３】
前記チャックは前方に押し出されることで、締めリングから突出して開径し、ノック操作の停止によるリターンバネの作用により、締めリング内に収容されて縮径されるように作用する。すなわち前記チャックは、ノック操作の繰り返しにより、筆記芯の解除と把持を行うことで、前記筆記芯を順次前方に繰り出すように作用する。
【０００４】
ところで、前記したシャープペンシルにおいては、書き進むにしたがって筆記芯が偏摩耗するために、描線が書き始めに比較して太くなるという現象が発生し、また描線の太さが変るだけでなく、筆記面に対する筆記芯の接触面積も変るために、書き進むにしたがって描線の濃さも変化するという問題を抱えている。このような問題を解消するために、本件出願人は筆記圧を利用して筆記芯（替え芯）を回転させることができるシャープペンシルについて提案し、例えば特願２００７−２７８９０４〜２７８９０５などで出願をしている。
【０００５】
この構成によると、前記チャックが前記筆記芯を把持した状態で芯タンクを中心にして回転可能となるように軸筒内に保持されると共に、前記筆記芯の筆記圧による前記チャックを介した回転子の後退および前進動作により当該回転子を回転駆動させて筆記芯を回動させる回転駆動機構が具備されている。
【０００６】
前記した筆記芯の回転駆動機構を備えたシャープペンシルにおいて、芯ケースの後端部にノックカバー（ノック部）を取り付けた構成においては、筆記芯の回転動作と共にノックカバーも回転することになる。したがって、ユーザが例えばノックカバーを指先などで無意識に回転させるなどした場合には、これが前記回転駆動機構に伝達されるために、回転駆動機構に障害を与えるという問題が発生する。
【０００７】
また、前記ノックカバーが不用意に何かに接触しているような場合、さらにノックカバーを故意に掴んだ状態で筆記を行った場合などには、前記回転駆動機構の機能が停止され、場合によっては回転駆動機構を故障させる要因にもなる。
【０００８】
そこで、前記した先の出願においては、このような問題点を解消するために、前記ノックカバーのノック操作は前記芯タンク側に伝達することができ、芯タンク側の回転動作はノックカバー側には伝達されない切り離し部を形成した構成を提案している。
【０００９】
前記したようにノック操作が行われるノックカバーと、芯タンクとの間を機械的に分離させた構成によると、前記ノックカバーを支持するノック筒や、当該ノック筒を後退させる方向に付勢する例えばコイル状に形成されたバネ部材（戻しバネ）が、軸筒の後端部側からから抜け出て脱落するおそれが生じ、これを抑えるような特別の工夫が必要になる。
【００１０】
特許文献１には、前記した筆記芯の回転駆動機構を備えたものではないものの、ノックカバーと、芯タンクとの間を機械的に分離させた構成のシャープペンシルが開示されている。
【特許文献１】特開平８−１５６４８３号公報
【発明の開示】
【発明が解決しようとする課題】
【００１１】
ところで、前記した特許文献に開示の構成によると、ノック操作が行われるノックカバーと一体に、軸筒内を摺動するノック筒が具備されており、前記ノック筒の前方にノック筒を後退させる方向に付勢するコイル状の戻しバネが収容されている。そして、前記ノック筒とコイル状の戻しバネとが、軸筒の後端部側からから抜け出て脱落しないように、ノック筒の側壁に係止部を形成させた構造が示されている。
【００１２】
すなわち、前記係止部は、前記ノック筒の側壁に隆起させた弾性片と、軸筒の後端部に形成された窓孔とにより構成されている。そして、前記ノック筒を軸筒内に押し込むことで弾性片が変形して、前記軸筒に形成された窓孔に当該軸筒の内側から入り込み、これによりノック筒が軸筒から抜け落ちないようにされている。
【００１３】
前記した構成によると、軸筒の後端部付近に窓孔が形成され、その窓孔内に前記弾性片がスライドするように配置された構成がそのまま視認されることになり、これが外観上の見栄えを悪くし、高級感に欠けるなどの問題を招来させる。
【００１４】
この発明は、軸筒内を摺動するノック筒と、当該ノック筒の戻しバネ等が軸筒から脱落するのを防止する取り付け機構を提案するものであり、その取り付け機構が軸筒の外観に影響を及ぼすことなく、また組み立て作業を簡素化させることができる後端ノック式のシャープペンシルを提供することを課題とするものである。
【課題を解決するための手段】
【００１５】
前記した課題を解決するためになされたこの発明にかかるシャープペンシルは、軸筒の後端部に配置されたノック部をノック操作することで、芯タンクの前端部に設けられたチャックを前進させて筆記芯を前方に繰り出すことができるように構成されたシャープペンシルであって、前記ノック部と一体もしくは別体に形成され、前記ノック部のノック操作により前記軸筒内を摺動すると共に、その外周面の軸方向に沿って少なくとも１つの凸状部材が突出形成されてなるノック筒と、前記ノック筒が摺動する軸筒の内周面において、軸方向に沿って平行状態に突出形成された第１と第２のリブ、および前記一対のリブの後端側において両者を連結するようにして突出形成された連結リブとによりＵ字状に形成され、かつ前記第１と第２のリブの前端側の長さがそれぞれ異なるように形成されてなる係止突起が具備され、前記ノック筒を後方に押し出す戻しバネの作用により、前記ノック筒における凸状部材が、前記軸筒内に突出形成された係止突起のＵ字状空間内を往復移動することで、前記ノック筒が前記軸筒に保持されていることを特徴とする。
【００１６】
この場合、好ましくは前記軸筒が先軸と後軸により構成され、前記先軸内に前記チャックおよび芯タンクが装着され、前記後軸内に前記係止突起が具備されて前記ノック筒が装着された構成にされる。また、好ましくは前記ノック筒と前記芯タンクとの間は分離された構成にされる。
【００１７】
そして、前記ノック筒の後端側に、前記軸筒の内周面に形成された係止突起の連結リブに軸方向で当接する大径部が形成され、前記大径部と前記凸状部材との間の距離をａとし、前記軸筒の内周面に形成された係止突起における第１と第２のリブの前端側の長さをそれぞれｂ，ｃとしたとき、ｂ＜ａ＜ｃの寸法関係になされていることが望ましい。
【００１８】
また、好ましい実施の形態においては、前記ノック筒の外周面には前記凸状部材が周方向に沿って等間隔をもって突出形成されると共に、前記軸筒内には、前記凸状部材と同数の前記係止突起が内周方向に沿って等間隔をもって独立して形成され、前記軸筒内に形成される係止突起の周方向の間隔が、前記ノック筒に形成された凸状部材の幅より大きく形成された構成にされる。
【００１９】
さらに、好ましくは前記ノック筒の外周面に形成された前記凸状部材が、ノック筒の前端部よりも軸方向に突出して形成され、前記凸状部材の軸方向前方への突出部が、前記ノック筒の前端部に当接するコイル状に形成された前記戻しバネの外径部を受けるように構成される。
【００２０】
そして前記した構成は、前記チャックが前記筆記芯を把持した状態で前記芯タンクを軸芯にして回転可能となるように前記軸筒内に保持されると共に、前記筆記芯の筆記圧による前記チャックを介した回転子の後退および前進動作により当該回転子を回転駆動させる回転駆動機構が具備され、前記回転子の回転運動を前記チャックを介して前記筆記芯に伝達するように構成されたシャープペンシルに対して好適に採用することができる。
【発明の効果】
【００２１】
前記した構成のシャープペンシルによると、軸筒内に第１と第２のリブ、および連結リブとによりＵ字状に突出された係止突起を形成し、ノック筒の外周面に形成された凸状部材が前記係止突起のＵ字状空間内に収容されるように構成されているので、これにより前記ノック筒を軸筒の後端部に確実に装着することができる。
【００２２】
加えて、前記第１と第２のリブは、軸筒の前方側に至る長さが異なるように形成されているので、前記ノック筒を軸筒の後端部から挿入し、ノック筒を一方向に回動させることで、ノック筒に形成された前記凸状部材を軸筒内に形成された前記係止突起のＵ字状空間内に容易に収容させることができる。
【００２３】
この場合、前記軸筒が先軸と後軸とにより構成され、前記先軸内に前記チャックおよび芯タンクが装着され、前記後軸内に前記係止突起が具備されて前記ノック筒が装着された構成にされているので、前記後軸内に前記ノック筒を装着する組み立て工程においては、先軸と後軸とを結合する両者間の例えば捩子を緩めることにより、前記後軸を前記芯タンクに対して相対的に後方移動させることができる。
【００２４】
したがって、ノック筒を後軸内にその後端部から装着させるにあたり、ノック筒が前記芯タンクの後端部に衝突してノック筒の前進が阻まれ、ノック筒の装着に支障を招くという問題を解消することができる。
【００２５】
前記した構成によると、シャープペンシルの組み立て作業を容易にかつ簡素化させることができると共に、前記したノック筒が軸筒から抜け落ちるのを防止する機構を軸筒内に形成することができる。よって、特許文献１に開示されたようにノック筒の脱落防止機構が外観を阻害し、高級感に欠けるという問題を招来させるのを解消することができる。
【発明を実施するための最良の形態】
【００２６】
以下、この発明にかかるシャープペンシルについて図に示す実施の形態に基づいて説明する。なお、以下に説明する実施の形態は、筆記圧を利用して筆記芯（替え芯）を回転させることができるシャープペンシルを対象にして、この発明を適用した例を示しており、したがって先に筆記芯の回転駆動機構について説明する。
【００２７】
図１および図２はこの発明にかかるシャープペンシルの前半部および後半部をそれぞれ断面図により示したものである。先ず図１に示す符号１Ａは、その外郭を構成する軸筒（以下、これを先軸とも言う。）を示しており、符号２は前記軸筒１Ａの先端側に後述する下カム形成部材を介して取り付けられた口先部を示している。
【００２８】
前記軸筒１Ａ内には筒状の芯ケース３が同軸状に収容されており、この芯ケース３の先端部にはチャック４が連結されている。このチャック４は、その軸芯に沿って通孔４ａが形成され、また先端部が複数に分割されて、分割された先端部がリング状に形成された締め具５内に遊嵌されるようにして装着されている。そして、リング状の前記締め具５は前記チャック４の周囲を覆うようにして配置された円筒状に形成された回転子６の先端部内面に装着されている。
【００２９】
前記口先部２より突出するようにして先端パイプ７が具備され、この先端パイプ７の基端部は前記口先部２内に位置する支持部材８の先端部内面に嵌合されている。前記支持部材８は、その基端部（後端部）側が大径となるように円筒部が連続した階段状に形成されており、その基端部内面は前記した回転子６の先端部における周側面に嵌合されている。そして、前記先端パイプ７を支持する支持部材８における円周面には、軸芯部分に通孔９ａを形成したゴム製の保持チャック９が収容されている。
【００３０】
前記した構成により、芯ケース３よりチャック４内に形成された通孔４ａ、前記保持チャック９の軸芯に形成された通孔９ａを介して、前記先端パイプ７に至る直線状の芯挿通孔が形成されており、この直線状の芯挿通孔内に図示せぬ筆記芯（替え芯）が挿通される。そして、前記した回転子６とチャック４との間の空間部には、コイル状のリターンバネ１０が配置されている。
【００３１】
なお前記リターンバネ１０の一端部（後端部）は前記芯ケース３の端面に、また前記リターンバネ１０の他端部（前端部）は回転子６内に形成された環状の端面に当接した状態で収容されている。したがって前記リターンバネ１０の作用により、回転子６内のチャック４が後退する方向に付勢されている。
【００３２】
図に示すシャープペンシルにおいては、軸筒（後軸）の後端部に配置された後述するノック部をノック操作することで、前記芯ケース３が軸筒１Ａ内において前進し、チャック４の先端部が締め具５から突出することで筆記芯の把持状態が解除される。そして、前記ノック操作の解除により、リターンバネ１０の作用により芯ケース３およびチャック４は軸筒１Ａ内において後退する。
【００３３】
この時、筆記芯は保持チャック９に形成された通孔９ａにおいて保持される。この状態でチャック４は後退してその先端部が前記締め具５内に収容されることで、筆記芯を再び把持状態にする。すなわち、前記したノック部のノック操作の繰り返しによるチャック４の前後動により筆記芯の解除と把持が行われ、これにより筆記芯はチャック４から順次前方に繰り出されるように作用する。
【００３４】
図１に示す前記した回転子６は、その軸方向の中央部が径を太くした円環状に形成されており、円環状になされた一端面（後端面）には第１のカム面６ａが形成されており、円環状になされた他端面（前端面）には第２のカム面６ｂが形成されている。一方、前記回転子６の後端部には、円筒状の上カム形成部材１３が回転子６の後端部を覆うようにして軸筒１Ａ内に取り付けられており、前記上カム形成部材１３の前端部には、前記回転子６における第１のカム面６ａに対峙するようにして固定カム面（第１の固定カム面ともいう。）１３ａが形成されている。
【００３５】
さらに、前記回転子６を覆うようにして円筒状の下カム形成部材１４が、軸筒１Ａ内に取り付けられており、そのほぼ中央部には前記回転子６における第２のカム面６ｂに対峙するようにして、固定カム面（第２の固定カム面ともいう。）１４ａが形成されている。なお、前記回転子６に形成されている第１と第２のカム面６ａ，６ｂと、前記第１の固定カム面１３ａ、第２の固定カム面１４ａとの関係および相互の作用については、図３および図４に基づいて後で詳細に説明する。
【００３６】
また、図１に示すように円筒状に形成された上カム形成部材１３の後端部内面には、円筒状のストッパー１６が嵌合されており、このストッパー１６の前端部と、円筒状に形成され軸方向に移動可能なトルクキャンセラー１７との間にはコイル状のバネ部材１８が装着されている。
【００３７】
前記バネ部材１８は、前記トルクキャンセラー１７を前方に付勢するように作用し、この付勢力を受けた前記トルクキャンセラー１７に押されて前記回転子６は前方に向かうように構成されている。
【００３８】
前記した構成によると、チャック４が筆記芯を把持した状態で、前記回転子６はチャック４と共に芯タンク３を軸芯として回転可能になされている。そして、シャープペンシルが不使用の状態（筆記状態以外の場合）においては、前記バネ部材１８の作用により前記トルクキャンセラー１７を介して回転子６は前方に付勢されていて、図１に示す状態になされる。
【００３９】
一方、シャープペンシルを使用した場合、すなわち先端パイプ７から突出している図示せぬ筆記芯に筆記圧が加わった場合には、前記チャック４はバネ部材１８の付勢力に抗して後退し、これに伴って回転子６も軸方向に後退する。したがって、回転子６に形成されている第１のカム面６ａは前記第１の固定カム面１３ａに接合して噛み合い状態になされる。
【００４０】
図３の（Ａ）〜（Ｃ）および図４の（Ｄ），（Ｅ）は、前記した動作により回転子６を回転駆動させる回転駆動機構の基本動作を順を追って説明するものである。図３および図４において、符号６は前記した回転子を模式的に示したものであり、その一端面（図の上側の面）には、周方向に沿って連続的に鋸歯状になされた第１のカム面６ａが円環状に形成されている。また回転子６の他端面（図の下側の面）にも、同様に周方向に沿って連続的に鋸歯状になされた第２のカム面６ｂが円環状に形成されている。
【００４１】
一方、図３および図４に示すように、上カム形成部材１３の円環状の端面にも周方向に沿って連続的に鋸歯状になされた第１の固定カム面１３ａが形成されており、下カム形成部材１４の円環状の端面にも周方向に沿って連続的に鋸歯状になされた第２の固定カム面１４ａが形成されている。そして、回転子６に形成された第１のカム面６ａ、第２のカム面６ｂ、上カム形成部材１３に形成された第１の固定カム面１３ａ、下カム形成部材１４に形成された第２の固定カム面１４ａに周方向に沿ってそれぞれ鋸歯状に形成された各カム面は、そのピッチが互いにほぼ同一となるように形成されている。
【００４２】
図３（Ａ）は、シャープペンシルが不使用の状態（筆記状態以外の場合）における上カム形成部材１３、回転子６、下カム形成部材１４の関係を示したものである。この状態においては、回転子６に形成された第２のカム面６ｂは軸筒１Ａに取り付けられた下カム形成部材１４の第２の固定カム面１４ａ側に、図１に示したバネ部材１８の付勢力により当接されている。この時、前記回転子６側の第１カム面６ａと前記第１の固定カム面１３ａが、軸方向においてカムの一歯に対して半位相（半ピッチ）ずれた関係となるように設定されている。
【００４３】
図３（Ｂ）は、シャープペンシルの使用により筆記芯に筆記圧が加わった初期の状態を示しており、この場合においては、前記したとおり回転子６はチャック４の後退に伴って、前記バネ部材１８を収縮させて軸方向に後退する。これにより、回転子６は軸筒１Ａに取り付けられた上カム形成部材１３側に移動する。
【００４４】
図３（Ｃ）は、シャープペンシルの使用により筆記芯に筆記圧が加わり、回転子６が上カム形成部材１３側に当接して後退した状態を示しており、この場合においては回転子６に形成された第１カム面６ａが、上カム形成部材１３側の第１の固定カム面１３ａに噛み合う。これにより回転子６は第１カム面６ａの一歯の半位相（半ピッチ）に相当する回転駆動を受ける。
【００４５】
なお、図３および図４における回転子６の中央部に描いた○印は、回転子６の回転移動量を示している。そして図３（Ｃ）に示す状態においては、前記回転子６側の第２カム面６ｂと前記第２の固定カム面１４ａが、軸方向においてカムの一歯に対して半位相（半ピッチ）ずれた関係となるように設定されている。
【００４６】
次に図４（Ｄ）は、シャープペンシルによる筆記が終わり、筆記芯に対する筆記圧が解かれた初期の状態を示しており、この場合においては、前記したバネ部材１８の作用により回転子６は軸方向に前進する。これにより、回転子６は軸筒１Ａに取り付けられた下カム形成部材１４側に移動する。
【００４７】
さらに図４（Ｅ）は、前記したバネ部材１８の作用により、回転子６が下カム形成部材１４側に当接して前進した状態を示しており、この場合においては回転子６に形成された第２カム面６ｂが、下カム形成部材１４側の第２の固定カム面１４ａに噛み合う。これにより回転子６は第２カム面６ｂの一歯の半位相（半ピッチ）に相当する回転駆動を再び受ける。
【００４８】
したがって、回転子６の中央部に描いた○印で示すように、筆記圧を受けた回転子６の軸方向への往復運動に伴って回転子６は、第１および第２カム面６ａ，６ｂの一歯（１ピッチ）に相当する回転駆動を受け、チャック４を介して、これに把持された筆記芯も同様に回転駆動される。
【００４９】
前記した構成のシャープペンシルによると、筆記による回転子６の軸方向への往復動により、回転子はその都度カムの一歯に対応する回転運動を受け、この繰り返しにより筆記芯は順次回転駆動される。それ故、書き進むにしたがって筆記芯が偏摩耗するのを防止させることができ、描線の太さや描線の濃さが大きく変化するという問題を解消することができる。
【００５０】
さらに、前記した構成のシャープペンシルによると、口先部２より突出して配置された筆記芯を案内する先端パイプ７は、支持部材８を介して前記回転子６の先端部に嵌合されているので、筆記動作に伴う前記したチャック４の後退および前進動作に伴い、先端パイプ７は支持部材８を介して同方向に移動する。したがって筆記動作に伴い、筆記芯が後退および前進動作するクッション作用が発生しても、筆記芯を案内する先端パイプも同方向に移動するので、先端パイプと筆記芯との間において軸方向の相対移動が生ずることはなく、先端パイプからの筆記芯の出寸法を一定に保つことができる。
【００５１】
また、先端パイプ７は支持部材８を介して前記回転子６に結合されているので、筆記芯が回転運動を受けた場合に、先端パイプも同様に回転運動を受けることになり、先端パイプと筆記芯は一体となって回転することになる。
【００５２】
したがって、筆記中において先端パイプからの筆記芯の出寸法がその都度変化して使用者に対して違和感を与えるという問題を解消させることができる。さらに先端パイプからの筆記芯の出寸法の変化により先端パイプにおいて芯を切削することによる芯折れの発生を防止させることができ、また芯の削りかすにより筆記面を汚染させるという問題も解消することができる。
【００５３】
なお、前記したコイル状のバネ部材１８の付勢力を受けて回転子６を前方に押し出す円筒状のトルクキャンセラー１７は、このトルクキャンセラー１７の前端面と前記回転子６の後端面との間ですべりを発生させて、筆記作用の繰り返しにより生ずる前記回転子６の回転運動が、バネ部材１８に伝達されるのを防止させるように作用する。
【００５４】
換言すれば、前記回転子６とバネ部材１８との間に、円筒状に形成されたトルクキャンセラー１７が介在されることにより、前記回転子の回転運動が前記バネ部材に伝達されるのを阻止するように作用し、バネ部材１８の捩じれ戻り（バネトルク）が発生することで、回転子６の回転動作に障害を与えるという問題を解消させることができる。
【００５５】
なお、図１に示すように先軸１Ａの後端部には、円筒状に形成された金属製の接続部材２０が、先軸１Ａの後端部内周面に螺合されて取り付けられており、この接続部材２０に対して、軸筒１Ｂ（以下、後軸とも言う。）の内周面が嵌合され、これにより先軸を構成する軸筒１Ａと、後軸を構成する軸筒１Ｂは一直線状に結合されている。なお、接続部材２０に対する後軸１Ｂの嵌合は、ユーザが取り外せない程度の強嵌合にされる。もしくは嵌合部分に接着剤を併用してもよい。
【００５６】
図２に示すように、軸筒１Ｂの後端部には例えば金属製のクリップ２１が取り付けられると共に、軸筒１Ｂの後端部側には、軸筒１Ｂと芯ケース３との間に円筒状に形成されたノック筒２２が収容されている。このノック筒２２は、当該ノック筒２２の前端部と前記接続部材２０内に形成された鍔部との間に配置されたコイル状の戻しバネ２３によって、後方に押し出されるように付勢力を受けている。
【００５７】
そして、前記ノック筒２２は軸筒１Ｂの後端部内において軸方向に摺動可能に、かつ軸筒１Ｂの後端部から抜け出ることのないように、すなわち非ノック状態において、図２に示す状態となるように軸筒１Ｂ内に取り付けられている。その具体的な取り付け構造は後で詳細に説明する。
【００５８】
前記ノック筒２２における軸方向の中間部よりも若干後寄りには、筆記芯の補給口２２ａを穿設した隔壁２２ｂが形成されており、この隔壁２２ｂの後方は、消しゴム２４の収容空間を構成している。そして、ノックカバー２６を取り付けたノックカバーリング２７が、ノック筒２２の後端部に着脱可能に取り付けられており、前記ノックカバー２６とノックカバーリング２７により前記消しゴム２４が覆われている。
【００５９】
加えて、図２に示したように前記ノック筒２２に形成された隔壁２２ｂは、前記芯タンク３の後端部との間でわずかなギャップＧをもって対峙した構成にされており、これによりノック筒２２を含むノック部と前記芯タンク３との間が分離された構成にされている。そのギャップＧの間隔は望ましくは、筆記芯の筆記圧による前記チャックを介した回転子６の後退動作に妨害を与えない間隔に設定される。
【００６０】
この構成によると筆記によるチャック４および芯ケース３の後退動作においても、芯ケース３の後端部が前記補給口２７を構成する隔壁に衝突することはなく、これにより前記した筆記芯の回転駆動機構の正常な回転駆動動作を保証することができる。
【００６１】
そして、前記ノックカバー２６のノック操作を行うと、ノック筒２２を介して前記隔壁２２ｂが芯タンク３の後端部に当たり、そのまま芯タンク３を前方に押し出すように作用する。これにより、前記したとおりチャック４が前進して筆記芯を先端パイプ７より繰り出させるように作用する。また前記ノック操作の解除によりノック筒２２は、戻しバネ２３の作用により、図２に示す状態に後退する。
【００６２】
図５は、前記した軸筒１Ｂ内において摺動可能に保持されるノック筒２２の取り付け構造を説明するものである。前記ノック筒２２の外周面には、周方向に沿って等間隔をもって凸状部材３０が形成されている。この実施の形態においては、前記凸状部材３０はノック筒２２の前端側（図５における左端部側）において、その周方向にほぼ９０度の等間隔をもってそれぞれ一直線状に形成されている。また、前記凸状部材３０の一部は、ノック筒２２の前端部よりも軸方向に若干突出し、突出部３０ａを形成している。
【００６３】
前記ノック筒２２における後端側には、ノック筒２２を取り巻くようにして大径部３１が環状に形成されている。なお、この大径部３１は、後で説明する軸筒１Ｂの内周面に形成された係止突起の連結リブに軸方向で当接できる寸法になされている。なお、この実施の形態においては、前記大径部３１と前記凸状部材３０との間の距離を、図５に示すように便宜上ａと定義する。
【００６４】
さらに、前記ノック筒２２の後端部には、軸方向に切り込んだ溝部３２が形成されている。この溝部３２は後で説明するとおり、ノック筒２２を図５に矢印で示すように軸筒１Ｂ内に挿入して組み込む場合において、図示せぬマイナスドライバ等の治具を利用してノック筒２２を周方向に回転させる際に利用される。
【００６５】
一方、軸筒１Ｂの内周面には、Ｕ字状に突出された係止突起３５が形成されている。この係止突起３５は、軸方向に沿って平行状態に突出形成された第１のリブ３５ａと第２のリブ３５ｂ、および前記一対のリブの後端側において両者を連結する連結リブ３５ｃとにより形成されている。そして、前記第１と第２のリブ３５ａ，３５ｂにおける前端側の長さが異なるように、すなわち図５にｂ，ｃで示す長さにそれぞれ設定されている。
【００６６】
前記した構成の係止突起３５は、前記軸筒１Ｂの内周方向に沿ってほぼ９０度の等間隔をもって独立して形成されている。そして、図５に示すように軸筒１Ｂ内に形成される前記係止突起３５の周方向の間隔ｄが、前記ノック筒２２に形成された凸状部材３０の幅ｅよりも大きく形成されている。
【００６７】
前記した軸筒１Ｂ内にノック筒２２を装着して保持させるには、図１および図２に示された先軸１Ａと、後軸１Ｂに結合された接続部材２０との間の捩子を緩めて、後軸１Ｂを芯タンク３に対して相対的に後方移動させるようにする。これにより、後で説明するように、ノック筒を後軸内にその後端部から装着するにあたり、ノック筒２２に形成された前記隔壁２２ｂが前記芯タンク３の後端部に衝突してノック筒の前進を阻み、ノック筒２２の装着に支障を招くという問題を解消することができる。
【００６８】
前記したように、先軸１Ａと後軸１Ｂに結合された接続部材２０との間の捩子を緩めた状態において、後軸１Ｂの後端部より、前記した戻しバネ２３を先に挿入する。これに続いて図５に示すように、ノック筒２２を後軸１Ｂの後端部より挿入する。
【００６９】
この場合、ノック筒２２の後端部に形成された溝部３２に、図示せぬマイナスドライバ等の先端部を当てて、ノック筒２２を軸筒１Ｂ内に軽く押し込むと共にノック筒２２を回転させる操作をすることで、ノック筒２２の前端部よりも若干突出した突出部３０ａが、軸筒１Ａ内に形成された前記係止突起３５の間に入り込むように作用する。すなわち、前記突出部３０ａはノック筒２２に形成された前記凸状部材３０を、前記係止突起３５の間（間隔ｄ内）に挿入させるガイドとして有効に機能する。
【００７０】
図６は、その後の軸筒１Ｂ内へのノック筒２２の装着順序を説明する模式図である。なお図６においては、軸筒１Ｂ内に形成された２つの係止突起３５を平面状に展開すると共に、ノック筒２２の外周面に形成された２つの凸状部材３０を同様に平面状に展開した状態で示している。
【００７１】
すなわち、図６（Ａ）に示すように、前記凸状部材３０における突出部３０ａが前記したようにガイドとして機能するので、前記凸状部材３０を前記係止突起３５の間（間隔ｄ）に容易に案内することができる。そして図６（Ａ）に示す寸法ｄおよびｅは、前記したとおり、ｄ＞ｅになされているので、ノック筒２２を軸筒１Ｂ内に容易に挿入することができる。
【００７２】
この状態で、先に軸筒１Ｂ内に挿入した前記戻しバネ２３を押し縮めながらノック筒２２を軸筒１Ｂ内で前進させると、ノック筒２２に形成された前記大径部３１が、軸筒１Ｂ内に突出形成された係止突起３５の連結リブ３５ｃに当接する。この状態における凸状部材３０と係止突起３５との位置関係を図６（Ｂ）に示している。
【００７３】
すなわち、前記したとおりノック筒２２における大径部３１と凸状部材３０との間の距離をａとし、軸筒１Ｂ内に形成された第１と第２のリブ３５ａ，３５ｂにおける前端側の長さをそれぞれｂ，ｃとしたとき、ｂ＜ａ＜ｃの関係になされている。したがって、この時の凸状部材３０の後端部は、第１リブ３５ａの前端部と第２のリブ３５ｂの前端部の間に位置することになる。
【００７４】
それ故、この状態でノック筒２２を左回転させることで、凸状部材３０を第２のリブ３５ｂに側面から当接させることができる。したがって、そのままの状態でノック筒２２の押し込み操作を解除することで、前記戻しバネ２３の作用により、図６（Ｂ）に示すように凸状部材３０を係止突起３５のＵ字状空間内に収容させることができる。これにより、図６（Ｃ）に示すように前記ノック筒２２は軸筒１Ｂ内において、軸方向に（ノック方向に）摺動可能な状態で保持される。
【００７５】
前記した操作によりノック筒２２を軸筒１Ｂ内に収容した後、先軸１Ａと、後軸１Ｂに結合された接続部材２０との間の捩子を締めると共に、これに続いてノック筒２２の後端部に、図２に示す消しゴム２４およびノック部として機能するノックカバー２６を装着することでシャープペンシルが完成される。
【００７６】
図７は前記したノック筒２２と、戻しバネ２３との好ましい関係を示したものであり、この図７においては前記ノック筒２２は断面図で示されている。すでに説明したとおりノック筒２２は、その前端部にコイル状に形成された戻しバネ２３が当接し、ノック操作の解除によりノック筒２２を元の状態に戻すように作用する。
【００７７】
この場合、ノック筒２２の前端部よりも軸方向に突出して形成された突出部３０ａが、ノック筒２２の前端部に当接するコイル状の戻しバネ２３の外径部を受けるように構成されていることが望ましい。すなわち、図７に示すように突出部３０ａが戻しバネ２３の端部を囲撓するようにして受けるので、戻しバネ２３を軸芯と同心円状に収容することができ、組み立て時においてバネの倒れ（偏寄）が発生する問題を回避することができる。
【００７８】
以上説明したこの発明にかかるシャープペンシルによると、ノック筒２２の軸方向に沿って凸状部材３０を突出形成し、前記ノック筒２２が収容される軸筒１Ｂ内には、両脚の長さが異なるＵ字状の係止突起３５を突出形成したので、軸筒１Ｂの後端部よりコイル状の戻しバネ２３およびノック筒２２を順次挿入してノック筒２２を摺動可能な状態に装着させることができる。これより、前記した発明の効果の欄に記載したとおりの作用効果を得ることができる。
【００７９】
なお、以上説明した実施の形態においては、ノック筒２２に４本の凸状部材３０を、また軸筒１Ｂ内に同数の係止突起３５を配置した構成にされているが、これらの数は任意に設定することができる。またこの発明は、実施の形態のように、筆記に伴い筆記芯がチャックおよび芯タンクと共に回転されるシャープペンシルに好適に採用することができるが、筆記芯が回転されない前記した特許文献１に示すようなシャープペンシルにも適用することができる。さらに、実施の形態においては、前記したノック筒２２はノック部として機能するノックカバー２６とは別体に形成されているが、これは一体に形成されていてもよい。
【図面の簡単な説明】
【００８０】
【図１】この発明の実施の形態における前半部を示した断面図である。
【図２】同じく後半部を示した断面図である。
【図３】図１〜図２に示す実施の形態に搭載された回転子の回転駆動作用を順を追って説明する模式図である。
【図４】図３に続く回転子の回転駆動作用を説明する模式図である。
【図５】軸筒とノック筒との関係を説明する一部断面図である。
【図６】軸筒内へのノック筒の装着順序を説明する模式図である。
【図７】ノック筒と戻しバネとの関係を説明する断面図である。
【符号の説明】
【００８１】
１Ａ    軸筒（先軸）
１Ｂ    軸筒（後軸）
２      口先部
３      芯ケース
４      チャック
５      締め具
６      回転子
７      先端パイプ
１０    リターンバネ
２０    接続部材
２２    ノック筒
２２ａ  筆記芯の補給口
２２ｂ  隔壁
２３    戻しバネ
２４    消しゴム
２６    ノックカバー
３０    凸状部材
３０ａ  突出部
３５    係止突起
３５ａ  第１リブ
３５ｂ  第２リブ
３５ｃ  連結リブ
Ｇ      ギャップ（切り離し部）
【図１】
2010137443.tif 000003
【図２】
2010137443.tif 000004
【図３】
2010137443.tif 000005
【図４】
2010137443.tif 000006
【図５】
2010137443.tif 000007
【図６】
2010137443.tif 000008
【図７】
2010137443.tif 000009